(57)【要約】【課題】  音の放射方向への厚みを増すことなく、振動板の振動量を増加させられるスピーカ用振動板と、このスピーカ用振動板を使用したスピーカを提供する。【解決手段】  側面視がほぼＶ字状となるよう板状体１２，１３で構成された振動板主体１１と、ヨーク１６、マグネット１７、プレート１８からなる磁気回路１９および、この磁気回路１９の周辺に配置されるボイスコイル２１、ダンパー２０とから構成される駆動体Ｘと、前記駆動体Ｘの磁気回路１９に付設されるフレーム２３とからなるものであって、少なくとも二股に分岐した振動板主体１１の一方の端部を、前記駆動体Ｘを構成するボイスコイル２１のボビン２２に連結してスピーカ１０とする。【選択図】        図１
2005159409.tif 000002
【特許請求の範囲】
【請求項１】
板状体によって、側面視がほぼ逆Ｖ字状の振動板主体を構成し、
二股に分岐した前記振動板主体の少なくとも一方の板状体の端部が、ボイスコイルのボビンとの連結部として用いられること
を特徴とするスピーカ用振動板。
【請求項２】
前記振動板主体は、
相対する２枚の平面板で構成され、各平面板の上端部を互いに貼り合わせて側面視がほぼ逆Ｖ字状となるよう構成されていること
を特徴とする請求項１に記載のスピーカ用振動板。
【請求項３】
前記振動板主体は、
１枚の平面板を側面視でほぼＶ字状となるように折り曲げるとともに、当該折曲げ部を互いに貼り合わせて構成されていること
を特徴とする請求項１に記載のスピーカ用振動板。
【請求項４】
前記振動板主体は、
ほぼＶ字状を構成する両面ともに同一素材であること
を特徴とする請求項１〜３のいずれかに記載のスピーカ用振動板。
【請求項５】
前記振動板主体は、
ほぼＶ字状を構成する一方の面と他方の面が、互いに異なる素材であること
を特徴とする請求項１又は２に記載のスピーカ用振動板。
【請求項６】
前記振動板主体は、
二股に分岐した他方の板状体の端部が、スピーカを構成するフレームに固着されて用いられるものであること
を特徴とする請求項１〜５のいずれかに記載のスピーカ用振動板。
【請求項７】
前記振動主体は、
二股に分岐した各板状体の端部が、ボイスコイルのボビンとの連結部として用いられること
を特徴とする請求項１〜５のいずれかに記載のスピーカ用振動板。
【請求項８】
側面視がほぼＶ字状となるよう板状体で構成された振動板主体と、
ヨーク、マグネット、プレートからなる磁気回路および、この磁気回路の周辺に配置されるボイスコイル、ダンパーとから構成される駆動体と、
前記駆動体の磁気回路に付設されるフレーム
とからなるものであって、
二股に分岐した前記振動板主体の少なくとも一方の板状体の端部が、前記駆動体を構成するボイスコイルのボビンに連結されていること
を特徴とするスピーカ。
【請求項９】
前記振動板主体は、
二股に分岐した板状体の他方の端部が、前記フレームに固定されていること
を特徴とする請求項８に記載のスピーカ。
【請求項１０】
前記駆動体は、
複数で構成され、二股に分岐した板状体の少なくとも一方の端部を、各駆動体で同時に駆動させるよう構成されていること
を特徴とする請求項８に記載のスピーカ。
【請求項１１】
前記駆動体は、
同一構造の複数で構成され、二股に分岐した板状体の各端部を、それぞれの駆動体で同時に駆動させるよう構成されていること
を特徴とする請求項８に記載のスピーカ。
【請求項１２】
前記複数の駆動体は、
二股に分岐した振動板主体の、一方の端部を駆動させるボイスコイルの巻き方向と、他方の端部を駆動させるボイスコイルの巻き方向とを、互いに逆方向とさせたこと
を特徴とする請求項１１に記載のスピーカ。
【請求項１３】
前記複数の駆動体は、
二股に分岐した振動板主体の、一方の端部を駆動させる駆動体を構成する磁気回路のマグネットの着磁方向と、他方の端部を駆動させる駆動体を構成する磁気回路のマグネットの着磁方向とを、互いに逆相とさせたこと
を特徴とする請求項１１に記載のスピーカ。
【請求項１４】
二股に分岐する上縁部が、駆動体を形成する磁気回路に付設された支持フレームに、エッジを介して固定されていること
を特徴とする請求項８〜１１のいずれかに記載のスピーカ。
【請求項１５】
側面視がほぼＶ字状となるよう板状体で構成された一対の振動板主体と、ヨーク、マグネット、プレートからなる磁気回路および、この磁気回路の周辺に配置されるボイスコイル、ダンパーとからなる駆動体と、前記磁気回路のプレートおよびヨークにそれぞれ付設されるフレームとから構成され、
前記一方の振動板主体における二股に分岐した一方の端部を、前記駆動体を構成するボイスコイルのボビン頂部に固着されたキャップに連結するとともに、他方の端部を、前記磁気回路のプレートに付設されたフレームに固着し、
前記他方の振動板主体における二股に分岐した他方の端部を、前記磁気回路のヨークの背面に付設されたフレームに固着するとともに、一方の端部を、前記ヨークに設けたセンターポールの中心部に軸方向に沿って貫通孔を遊嵌した連結杆の基端部に連結させ、
この連結杆の先端部を前記キャップの裏面中心部に固着させ、
前記磁気回路を中心に点対称に配置された一対の振動板主体を、ボイスコイルの駆動によって同時に振動させるよう構成したこと
を特徴とするスピーカ。
【請求項１６】
前記一対の振動板主体は、
同一構造からなる複数の駆動体の、各ボイスコイルによって同時に振動させるよう構成したこと
を特徴とする請求項１５に記載のスピーカ。
【請求項１７】
前記連結杆は、
中空または中実の棒状体もしくは板状体からなるもので、前記ヨークの底面部から突出した部位がダンパーによって上下動自在に係合保持されていること
を特徴とする請求項１５に記載のスピーカ。
【発明の詳細な説明】
【技術分野】
【０００１】
この発明は、各種の音響機器に使用されるスピーカ用振動板と、この振動板を使用したスピーカに関するもので、より具体的には、音の放射方向への厚みを増すことなく、振動板の振動量を増加させることのできるスピーカ用振動板と、この振動板を使用したスピーカに関するものである。
【背景技術】
【０００２】
従来のスピーカ１は、図１０に示すように、ヨーク２、マグネット３およびプレート４からなる磁気回路５と、この磁気回路５の周辺に設けられるボイスコイル６、振動板７、ダンパー８からなる振動系と、前記磁気回路５に固定されるフレーム９とから構成されるもので、前記磁気回路５から振動板７であるコーン紙までを積み重ねるように組み立てられるもので、音の放射方向は、ボイスコイルの駆動方向と同一である。
【０００３】
そこで、駆動部と振動板が近接する固定的な構造とする必要性を払拭するとともに、発音に至るまでの信号伝達経路を外部からの衝撃に影響され難いものとし、構造及び設置の自由度を向上させることができ、かつ、より適切な発音動作の確保や種々の用途への適用等を可能とするスピーカが、特開２０００−３５０２８５号公報（特許文献１）において提案されている。
【０００４】
この特許文献１に記載のスピーカは、振動板と、発生させる音に応じた力を発生する駆動部と、前記振動板を内部応力のある状態に支持すると共に、前記駆動部で発生された力により生じる波動を前記振動板へ伝達する支持伝達手段とを有するもので、具体的には、紙を内部応力がある状態に弾性変形させて支持部材の先端と挟着部によって２点支持し、支持支柱の一端を挟着部に連結接続するとともに、他端を駆動部ボックス内のスピーカ駆動部の所定部位に連結したものである。
【０００５】
そして、前記所定部位においては、ボイスコイルによる力を受ける円板を、その振動を抑制した状態で設け、ボイスコイルへ電気信号を供給して円板に対する力を発生させ、それによる波動を支持支柱、挟着部及び支持部材を介して紙へ伝達し、紙にて機械的な振動に変換して音を放出させるというものである。
【特許文献１】特開２０００−３５０２８５号公報（特許請求の範囲、図１）
【発明の開示】
【発明が解決しようとする課題】
【０００６】
前記特許文献１に記載のスピーカは、振動板を内部応力のある状態に支持し、その振動板へ駆動部で発生された力により生じる「波動」を伝達することとしたので、発生させようとする音が波動という形で伝達され、振動板にて機械的な振動に変換されるため、駆動部と振動板は近接している必要がなく、自由な形態で構成することができ、スピーカの構造及び設置の自由度を向上させることができるなどの効果が得られるとされている。
【０００７】
しかしながら、駆動部と振動板との間が支持支柱で連結される方式であるので、振動部を支えるための駆動部の重量や大きさを絶えず考慮してスピーカ設計をする必要があり、スピーカを小型化および／または薄型化を図るには種々解決すべき課題がある。
【０００８】
すなわち、特許文献１に記載のスピーカは、ボイスコイルに接合させた円板から細い支持支柱を介して狭着部に波動を伝え、前記支持支柱の先端部とこの狭着部に間に弾性変形させて固着した紙（振動板）を振動させるものであるので、いわゆる共振のような現象であるため、振動板を確実に振動させるには、振動板の大きさに応じた、それ相応の大きな駆動源を必要とし、スピーカを小型化および／または薄型化を図ることはかなり難しいものである。
【０００９】
また、特許文献１に記載のスピーカにおいては、紙（振動板）を弾性変形させることが必須の条件とされているもので、内部応力が小さければ、振動板としての効果を発揮することができず、振動板としての効果を挙げるために内部応力を大きくすると、紙（振動板）を支持する支持支柱の強度を上げて、紙（振動板）が内部応力のない状態に戻ることを阻止する必要性が生じ、内部応力を強くするほど紙（振動板）と支持支柱との形状は、固定状態に近づいて振動ができなくなるという問題がある。
【００１０】
一方、近年、スピーカの要求にあって、音の放射方向への厚みを増すことなく、ボイスコイルの動作量に対する振動板の振動量を増加させることが要求されているが、従来の構造によれば、ボイスコイルの動作量に対する振動板の振動量は同じなので、振動板の振動量を増加させるには、磁気回路および振動系を大きくしてボイスコイルの動作量を大きくさせざるを得ず、その結果、音の放射方向はボイスコイルの駆動方向と同一であることから、スピーカの放射方向への厚みが大きくなるので、要求を満たすことはきわめて困難であった。
【００１１】
この発明はかかる現状に鑑み、音の放射方向への厚みを増すことなく、振動板の振動量を増加させることのできるスピーカ用振動板と、このスピーカ用振動板を使用したスピーカを提供せんとすることを目的としたものである。
【課題を解決するための手段】
【００１２】
前記の目的を達成するため、この発明のスピーカ用振動板は、
板状体によって、側面視がほぼＶ字状の振動板主体を構成し、
二股に分岐した前記振動板主体の少なくとも一方の板状体の端部が、ボイスコイルのボビンとの連結部として用いられること
を特徴とするものである。
【００１３】
また、この発明の請求項２に記載の発明は、
請求項１に記載のスピーカ用振動板において、
前記振動板主体は、
相対する２枚の平面板で構成され、各平面板の上端部を互いに貼り合わせて側面視がほぼＶ字状となるよう構成されていること
を特徴とするものである。
【００１４】
また、この発明の請求項３に記載の発明は、
請求項１に記載のスピーカ用振動板において、
前記振動板主体は、
１枚の平面板を側面視でほぼＶ字状となるように折り曲げるとともに、当該折曲げ部を互いに貼り合わせて構成されていること
を特徴とするものである。
【００１５】
また、この発明の請求項４に記載の発明は、
請求項１〜３のいずれかに記載のスピーカ用振動板において、
前記振動板主体は、
ほぼV字状を構成する両面ともに同一素材であること
を特徴とするものである。
【００１６】
また、この発明の請求項５に記載の発明は、
請求項１又は２に記載のスピーカ用振動板において、
前記振動板主体は、
ほぼV字状を構成する一方の面と他方の面が、互いに異なる素材であること
を特徴とするものである。
【００１７】
また、この発明の請求項６に記載の発明は、
請求項１〜５のいずれかに記載のスピーカ用振動板において、
前記振動板主体は、
二股に分岐した他方の板状体の端部が、スピーカを構成するフレームに固着されて用いられるものであること
を特徴とするものである。
【００１８】
また、この発明の請求項７に記載の発明は、
請求項１〜５のいずれかに記載のスピーカ用振動板において、
前記振動主体は、
二股に分岐した各板状体の端部が、ボイスコイルのボビンとの連結部として用いられること
を特徴とするものである。
【００１９】
さらに、この発明の請求項８に記載のスピーカは、
側面視がほぼＶ字状となるよう板状体で構成された振動板主体と、
ヨーク、マグネット、プレートからなる磁気回路および、この磁気回路の周辺に配置されるボイスコイル、ダンパーとから構成される駆動体と、
前記駆動体の磁気回路に付設されるフレーム
とからなるものであって、
二股に分岐した前記振動板主体の少なくとも一方の板状体の端部が、前記駆動体を構成するボイスコイルのボビンに連結されていること
を特徴とするものである。
【００２０】
また、この発明の請求項９に記載の発明は、
請求項８に記載のスピーカにおいて、
前記振動板主体は、
二股に分岐した板状体の他方の端部が、前記フレームに固定されていること
を特徴とするものである。
【００２１】
また、この発明の請求項１０に記載の発明は、
請求項８に記載のスピーカにおいて、
前記駆動体は、
複数で構成され、二股に分岐した板状体の少なくとも一方の端部を、各駆動体で同時に駆動させるよう構成されていること
を特徴とするものである。
【００２２】
また、この発明の請求項１１に記載の発明は、
請求項８に記載のスピーカにおいて、
前記駆動体は、
同一構造の複数で構成され、二股に分岐した板状体の各端部を、それぞれの駆動体で同時に駆動させるよう構成されていること
を特徴とするものである。
【００２３】
また、この発明の請求項１２に記載の発明は、
請求項１１に記載のスピーカにおいて、
前記複数の駆動体は、
二股に分岐した振動板主体の、一方の端部を駆動させるボイスコイルの巻き方向と、他方の端部を駆動させるボイスコイルの巻き方向とを、互いに逆方向とさせたこと
を特徴とするものである。
【００２４】
また、この発明の請求項１３に記載の発明は、
請求項１１に記載のスピーカにおいて、
前記複数の駆動体は、
二股に分岐した振動板主体の、一方の端部を駆動させる駆動体を構成する磁気回路のマグネットの着磁方向と、他方の端部を駆動させる駆動体を構成する磁気回路のマグネットの着磁方向とを、互いに逆相とさせたこと
を特徴とするものである。
【００２５】
また、この発明の請求項１４に記載の発明は、
請求項８〜１１のいずれかに記載のスピーカにおいて、
前記振動板主体は、
二股に分岐する上縁部が、駆動体を形成する磁気回路に付設された支持フレームに、エッジを介して固定されていること
を特徴とするものである。
【００２６】
さらにまた、この発明の請求項１５に記載のスピーカは、
側面視がほぼＶ字状となるよう板状体で構成された一対の振動板主体と、ヨーク、マグネット、プレートからなる磁気回路および、この磁気回路の周辺に配置されるボイスコイル、ダンパーとからなる駆動体と、前記磁気回路のプレートおよびヨークにそれぞれ付設されるフレームとから構成され、
前記一方の振動板主体における二股に分岐した一方の端部を、前記駆動体を構成するボイスコイルのボビン頂部に固着されたキャップに連結するとともに、他方の端部を、前記磁気回路のプレートに付設されたフレームに固着し、
前記他方の振動板主体における二股に分岐した他方の端部を、前記磁気回路のヨークの背面に付設されたフレームに固着するとともに、一方の端部を、前記ヨークに設けたセンターポールの中心部に軸方向に沿って貫通孔を遊嵌した連結杆の基端部に連結させ、
この連結杆の先端部を前記キャップの裏面中心部に固着させ、
前記磁気回路を中心に点対称に配置された一対の振動板主体を、ボイスコイルの駆動によって同時に振動させるよう構成したこと
を特徴とするものである。
【００２７】
また、この発明の請求項１６に記載の発明は、
請求項１５に記載のスピーカにおいて、
前記一対の振動板主体は、
同一構造からなる複数の駆動体の、各ボイスコイルによって同時に振動させるよう構成したこと
を特徴とするものである。
【００２８】
また、この発明の請求項１７に記載の発明は、
請求項１５に記載のスピーカにおいて、
前記連結杆は、
中空または中実の棒状体もしくは板状体からなるもので、前記ヨークの底面部から突出した部位がダンパーによって上下動自在に係合保持されていること
を特徴とするものである。
【発明の効果】
【００２９】
この発明のスピーカ用振動板は、振動板素材からなる板状体によって側面視がほぼＶ字状（逆Ｖ字状ないし二等辺三角形状等を含む）となる振動板主体を構成し、この振動板主体の上端部において二股に分岐する、少なくとも一方の板状体の端部を、ボイスコイルに連結させることによって振動板として使用することができるようにしたもので、ボイスコイルの振動方向と振動板の振動方向とが約９０度異なる構造のスピーカを得ることが可能となる。
【００３０】
また、この発明のスピーカは、振動板素材からなる板状体によって側面視がほぼＶ字状（逆Ｖ字状ないし二等辺三角形状等を含む）となる振動板主体を構成し、この振動板主体の上端部において二股に分岐する、少なくとも一方の板状体の端部を、磁気回路の周辺部に配置されるボイスコイルのボビンに連結させて構成されているので、ボイスコイルの振動方向と振動板の振動方向とが約９０度異なる構造とすることができ、これによって、スピーカの音の放射方向への厚みを厚くすることがなく、ボイスコイルの動作量に対する振動板の振動量を増加させることができる。
【発明を実施するための最良の形態】
【００３１】
この発明は、板状体からなる振動板素材を側面視がほぼＶ字状になるように形成して振動板主体とし、二股に分岐した板状体の少なくとも一方の端部を、ヨーク、マグネットおよびプレートからなる磁気回路と、この磁気回路の周辺に配置されるボイスコイルおよびダンパーとから構成される駆動部の、ボイスコイルのボビンに連結させて振動板とし、また、この振動板を使用して各種スピーカを構成することを要旨とするもので、この要旨を変更しない範囲内において種々変更を加えることができ、後述する実施例にのみ限定されるものではない。
この発明のスピーカ用振動板１１は、図１および図２から明らかなように、側面視がほぼＶ字状で、平面視が矩形状となるように振動板主体１１（なお、前記スピーカ用振動板と実質的に同一であるので同一符号とする。）を板状体で構成したもので、板状体で振動板主体１１を構成するには、たとえば、２枚の方形ないし矩形状の板状体１２と１３を相対させ、その上縁部同士を接着剤によって所要幅で貼り合わせて貼り合わせ部１４を形成し、側面視がほぼＶ字状となるようにする方法と、図３に示すように、１枚の矩形状の板状体１５をほぼ中央部で２つ折りし、互いに重畳する部位を接着剤で貼り合わせて貼り合わせ部１４ａを形成し、側面視ほぼＶ字状の振動板主体１１とする方法とがある。
【００３２】
前者の２枚の板状体１２，１３を使用する方法は、板状体の素材、すなわち、振動板素材となる紙パルプ、またはアルミ、ベリリウム、ボロンなどの金属単板、ニッケルなどを素材とする発泡金属、さらには各種のプラスチックを単一で、あるいは組み合わせて使用することができるものである。
【００３３】
また、同質であってもその厚みを変えることによって、あるいは異種同士を組み合わせることによって、振動板の振動モードを自在にコントロールすることができる。さらに、後者の１枚の板状体１５を使用する方法は、振動板主体１１の製造がきわめて容易で、量産化によるコストダウンを図ることができる。
【００３４】
この振動板主体１１を構成する板状体の厚みは、およそ０．２〜１．０ｍｍ程度とするもので、側面視がほぼ逆Ｖ字状であれば、その大きさや形状には特段の制限はなく、適用せんとするスピーカに合わせて適宜選択できる。
【００３５】
また、前記のように２枚の板状体１２，１３で振動板主体１１を構成する場合には、当然板厚が異なるものでも使用でき、二股に分岐する振動板主体１１のうち、便宜上一端がボイスコイルに連結する板状体１２を駆動部Ａとすれば、他方の板状体１３は振動部Ｂを構成するので、駆動部Ａを構成する板状体１２よりも大きな面積であることが好ましいものの、同一面積であってもよいことは当然である。
【００３６】
また、単一の板状体または２枚の板状体で振動板主体１１を構成するに際し、いずれの場合においても、その上縁部に沿って所定の幅で接合接着して貼り合わせ部１４（１４ａ）を形成することによって、前記駆動部Ａからの振動を振動部Ｂの全面に確実に伝えることができ、少なくとも振動部Ｂとなる板状体１３は、板面を変形させて振動させる必要上、全面が平滑な平面状であることが好ましいものの、振動板の共振などを抑える観点からリブを設ける場合もある。
【００３７】
かかる構成のスピーカ用振動板１１は、少なくとも貼り合わせ部１４で二股に分岐する一方の端部、具体的にはほぼ鉛直に保持される板状体１２の基端部１２ａをボイスコイル２１に連結して振動板とするもので、以下にその具体例を説明する。
【実施例１】
【００３８】
図１に示されるスピーカ１０は、前記構成のスピーカ用振動板１１と、上面中央部にセンターポール１６ａを有するヨーク１６、リング状のマグネット１７およびリング状のプレート１８からなる磁気回路１９と、この磁気回路１９に形成された磁気ギャップ内にダンパー２０によって保持されるボイスコイル２１と、このボイスコイル２１を捲回したボビン２２と、前記磁気回路１９のプレート１８上面に固着されたフレーム２３とから構成されたもので、前記スピーカ用振動板１１を構成する一方の板状体１２の基端１２ａを、前記ボイスコイル２１のボビン２２に連結固定して駆動部Ａとし、他方の板状体１３の基端１３ａをフレーム２３に固着して振動部Ｂとし、スピーカ１０としたものである。
【００３９】
なお、この発明においては、スピーカを構成する部品中、前記磁気回路１９と、この磁気回路１９の周辺に配置されるボイスコイル２１およびダンパー２０を併せて駆動体Ｘという。
【００４０】
かかる構成のスピーカ１０は、図示しないが錦糸線を介して入力端子からボイスコイル２１に電気信号を入力すると、ボイスコイル２１の駆動によってボビン２２が上下動し、このボビン２２に基端１２ａが固着された駆動部Ａとなる振動板主体１１の板状体１２も同時に上下に動作する。
【００４１】
その結果、貼り合わせ部１４を介して一体の、実質的に振動Ｂ部となる板状体１３は、図４の振動模式図から明らかなように、図面上左右に動作（振動）することになって、ボイスコイル２１の動作量ｈに対する板状体１３の先端の左右への振動量Hは大きなものとなって放音する。したがって、ボイスコイル２１の振動より、スピーカの音の放射方向への厚みを厚くすることなく、板状体１３（振動部Ｂ）の振動を大きくすることが可能となる。
【００４２】
なお、振動板主体１１を構成する板状体１２または１３のいずれかの基端の、ボイスコイル２１のボビン２２の上端部への固着手段については、両者が確実に一体的に結合するものであれば特段の制限はないが、たとえば、所要の径を有するボビン１２の直径上で相対する部位にそれぞれ縦方向にスリットを形成し、このスリット内に板状体１２の基端１２ａを係合させ、接着剤によって両者を一体的に結合させる方法、あるいはボビン２２の上端開口部にキャップを固着し、このキャップの表面に板状体の基端を接着固定する方法などがある。
【００４３】
また、実質的に振動部Ｂを構成する板状体１３は、貼り合わせ部１４からフレーム２３までの間を平面状に保持させてもよいが、図１に示すように、全体を緩やかな円弧状に形成させることによって、振動する振動部の面積が大きくなり振動音をより効果的に空気中に放射させることができるので、好ましいものである。
【実施例２】
【００４４】
図５に示すスピーカ３０は、前記のスピーカ用振動板１１を、ヨーク、マグネット、プレートからなる磁気回路１９および、この磁気回路１９の周辺に配置されるボイスコイルおよびダンパーで構成された２つの駆動体Ｘ，Ｙで同時に駆動させるよう構成されたもので、各駆動体ＸおよびＹを構成する磁気回路のプレート１８，１８同士を１つのフレーム２３によって同一線上で相互に連結させ、また、各駆動体ＸおよびＹを構成するボイスコイルのボビンに、振動板主体１１を構成する一方の板状体１２の基端を同一線上で固着して駆動部Ａとし、他方の板状体１３の基端を前記フレーム２３に固着して振動部Ｂとしたものである。
【００４５】
なお、前記駆動体ＸとＹとは、同じ大きさと構成を有するものである。
【００４６】
この方式のスピーカ３０は、使用するスピーカ用振動板の横幅に合わせ、駆動体の数を選択することによって、振動部Ｂの全面を均等に振動させることができるとともに、個々の駆動体ＸおよびＹの磁気回路、ならびにボイスコイルやダンパーなどの振動系を小型化させて、スピーカを薄型化することができる。
【実施例３】
【００４７】
図６に示されるスピーカ４０は、実施例１における振動部Ｂ（板状体１３）の基端を、駆動部Ａの基端に位置する駆動体Ｘとは別の、駆動体Ｙにおけるボイスコイル２１ａのボビン２２ａに固定する構造である。
【００４８】
すなわち、駆動部Ａは駆動体Ｘのボイスコイル２１であるボビン２２に固定し、振動部Ｂは、駆動体Ｘと同一の構成で、かつ大きさも同一である駆動体Ｙのボイスコイル２１ａのボビン２２ａに固定したもので、駆動体ＸとＹは連結フレーム２４に固定されたものである。
【００４９】
かかる構成のスピーカ４０において、たとえば、駆動体ＸとＹのボイスコイルの巻き方向を互いに逆方向とすれば、ボイスコイル２１の駆動によって駆動部Ａが上昇したときは振動部Ｂを下降（実線矢印）させ、反対に振動部Ｂがボイスコイル２１ａの駆動によって上昇したときは駆動部Ａが下降（点線矢印）させることができるので、実施例１のように振動部Ｂの基端をフレーム２３に固定する場合に比べて、約１／２のボイスコイルの動作量で振動部Ｂの左右振動量を同じにすることができる。
【００５０】
また、図６に示される実施例３において、駆動体Ｘを構成する磁気回路のマグネット１７ａの着磁方向と、駆動体Ｙを構成する磁気回路のマグネット１７ｂの着磁方向とを、互いに逆相とすることによっても、前記と同様の作用効果を得ることができる。
【００５１】
さらに、上端部において二股に分岐したスピーカ用振動板１１の駆動に際しては、図６の例では、駆動部Ａおよび振動部Ｂを、それぞれ１つの駆動体ＸおよびＹで駆動するものであるが、駆動部Ａおよび振動部Ｂを実施例２に示すように、複数の駆動体で振動させることによって、振動部Ｂ全面を均等に振動させられると共に、個々の磁気回路および振動系を小型にすることができ、スピーカとして薄型化を図ることができる。
【実施例４】
【００５２】
図７は、この発明のスピーカ用振動板のさらに他の例を示すもので、図１および図６に示した振動板主体１１の振動部Ｂが緩やかな円弧状をなし、板状体１３自体に少し内部応力が作用するように構成されているのに対し、図７においては、相対する板状体１２，１３の上端部を互いに貼り合わせ、この貼り合わせ部１４を中心に全体が二等辺三角形状ないしＶ字状となるようにして振動板主体１１とし、内部応力が作用しないよう振動部Ｂが平板状になるようにセットしたのち、駆動部Ａをボイスコイル２１で駆動させるよう構成したものである。
【００５３】
この場合、振動部Ａの形態は、図１および図６のものとは異なっても、ボイスコイルによる振動をそのまま振動として受ける構成はなんら変わらない。
【００５４】
したがって、図１および図６に示したスピーカ用振動板１１とは、振動の大きさに関しては、ほぼ同程度の作用効果を奏させることができる。
【００５５】
なお、振動板主体１１を駆動体Ｘにセットしてスピーカ用振動板とする場合、振動板主体１１を構成する板状体１２と１３の基端間の幅を大きく、たとえば５０ｍｍ程度とすれば、小さな動力で作動させることができるので、その分ボイスコイル２１の径を小さくすることができ、幅を狭くした場合には、使用するボイスコイルの径を少し大きくする必要があるので、実際には１０ｍｍ程度の幅とすることが好ましく、それ以下にすると磁気回路の大きな駆動体を使用することが必要となる。
【実施例５】
【００５６】
図８に示すスピーカ５０は、前記した実施例における振動板主体１１が、いずれも振動部Ｂの基端がフレーム２３に固着されているのに対し、振動板主体１１の上端部の貼り合わせ部１４にエッジ２６の一端部を固着し、このエッジ２６の他端部を、駆動体Ｘのプレート１８上に別途立設した支持フレーム２７に固着したものである。
【００５７】
このエッジ２６を使用することによって、駆動部Ａおよび振動部Ｂをより確実に正しい位置に保持することができるとともに、振動板主体１１の後方に放射された逆位相音の、振動板主体１１の前面への回り込みを防止することができる。
【実施例６】
【００５８】
図９に示すスピーカ６０は、一つの駆動体Ｘに２つの振動板主体１１Ａと１１Ｂとを磁気回路を中心に点対称に配置したもので、駆動体Ｘを構成するヨーク１６の上面中央部のセンターポール１６ａに、その中心軸に沿って上下に貫通する貫通孔が形成されるとともに、その裏面にはアングル状のフレーム２３ａが、プレート１８の上面には同じくフレーム２３が対称的に付設されている。
【００５９】
そして、一方の振動板主体１１Ａにおける駆動部Ａの基端は、駆動体Ｘを構成するボイスコイル２１のボビン２２の頂部に設けたキャップ２２ａに、また、貼り合わせ部１４で二股に分岐する振動部Ｂの基端はフレーム２３にそれぞれ固着され、他方の振動板主体１１Ｂにおける駆動部Ａはヨーク１４の裏面に付設されたフレーム２３ａに、また、振動部Ｂは、前記センターポール１６ａに形成された貫通孔内に遊嵌され、一端が前記ボビン２２のキャップ２２ａの裏面中央に固着された連結杆２８の他端に固着されている。
【００６０】
すなわち、２つ目の振動板主体１１Ｂの駆動部Ｂは、前記センターポール１６ａの貫通孔内を、ボイスコイル２１の駆動に応じて上下動する前記連結杆２８を介してボビン２２と連動しているので、一つの駆動体Ｘで、一つの振動板主体１１Ａの駆動部Ａと、もう一つの振動板主体３の振動部Ｂを同時に動かすことができるものである。
【００６１】
その際、駆動体Ｘは複数であってもよい。この場合、複数の駆動体Ｘは、すべて同一構造のものとし、前記振動板主体１１Ａの駆動部Ａと、振動板主体３の振動部Ｂを同時に複数の駆動体で動かす場合と、フレーム２３に固着する振動板主体１１Ａの振動部Ｂおよびフレーム２３ａに固着する振動板主体１１Ｂの駆動部Ａをも、それぞれフレームに固着せずに、それぞれの駆動体Ｘで駆動する場合がある。
【００６２】
なお、図９において、符号２９は前記連結杆２８を上下動自在に係合保持するためのダンパーで、中心部には貫通孔から突出する連結杆２８の下端部を遊嵌させる透孔が形成されているもので、連結杆２８は中空または中実の、棒状体であっても板状体であってもよいものである。
【００６３】
以上述べたように、この発明のスピーカ用振動板は、板状体によって上縁部に貼り合わせ部を有する側面視ほぼＶ字状（逆Ｖ字状ないし二等辺三角形状等を含む）の振動板主体を構成し、少なくとも二股に分岐する一方の端部をボイスコイルで駆動するようにして振動板とするもので、このスピーカ用振動板を使用してスピーカを構成することによって、音の放射方向への厚みを増すことなく、振動板の振動量を増加させることができる。
【００６４】
したがって、駆動体の大きさ、使用する振動板の素材や大きさなどを適宜選択することで、小型化や薄型化を図ることができる利点がある。
【図面の簡単な説明】
【００６５】
【図１】この発明のスピーカ用振動板の一例を使用したスピーカの一例を示す概略説明図である。
【図２】図１に示すスピーカの概略正面図である。
【図３】この発明に係るスピーカ用振動板の他の例を示す説明図である。
【図４】図１に示すスピーカの振動模式図である。
【図５】この発明に係るスピーカの他の実施例を示す概略正面図である。
【図６】この発明に係るスピーカのさらに他の実施例を示す概略正面図である。
【図７】この発明に係るスピーカ用振動板の他の例を使用したスピーカの一例を示す概略説明図である。
【図８】この発明に係るスピーカのさらに他の実施例を示す概略側面図である。
【図９】この発明に係るスピーカのさらに他の実施例を示す概略側面図である。
【図１０】従来のスピーカの概略説明図である。
【符号の説明】
【００６６】
１０          スピーカ
１１          スピーカ用振動板（振動板主体）
１２，１３    振動板主体を構成する板状体
１４          貼り合わせ部
１６          ヨーク
１７          マグネット
１８          プレート
１９          磁気回路
２０          ダンパー
２１          ボイスコイル
２２          ボビン
２３          フレーム
【図１】
2005159409.tif 000003
【図２】
2005159409.tif 000004
【図３】
2005159409.tif 000005
【図４】
2005159409.tif 000006
【図５】
2005159409.tif 000007
【図６】
2005159409.tif 000008
【図７】
2005159409.tif 000009
【図８】
2005159409.tif 000010
【図９】
2005159409.tif 000011
【図１０】
2005159409.tif 000012